(57)【特許請求の範囲】
【請求項１】
校正印刷機による校正刷りにおいて印刷機による印刷物の色再現性を向上させるための色校正法において、
(a) 印刷機および校正印刷機のそれぞれの既知のルックアップテーブルに基づいて４次元色空間の全体にわたる画像データの変換値からなる原始参照値テーブルを作成するステップと、
(b) 前記原始参照値テーブルによって得られた校正刷りが印刷物により近似するように、参照値テーブル内に保持される変換値相互の非線形特性を保持しつつ参照値テーブルの全体または一部を随時修正し、それによって色再現精度の向上した参照値テーブルを求めるステップと、を有し、
前記ステップ(b) は、
(c) 参照値テーブル中の色データを変更すべき目標参照値Ｐを選択し、目標参照値Ｐの色データ変更値を指定するステップと、
(d) 目標参照値Ｐの色データの変更が、目標参照値Ｐを中心とするどの範囲までの参照値の色データに影響を及ぼすのかを規定する影響範囲の百分率値Ｖを指定するステップと、
(e) ４次元色空間において、座標（Ａx,Ａy,Ａz,Ａt)にある参照値Ａと、座標（Ｂx,Ｂy,Ｂz,Ｂt)にある参照値Ｂとの間の距離ＡＢを、
ＡＢ＝ｍａｘ（｜Ａx −Ｂx ｜, ｜Ａy −Ｂy ｜, ｜Ａz −Ｂz ｜,
｜Ａt −Ｂt ｜)                                  (1)
ここで、ｍａｘ（ａ，ｂ，ｃ，ｄ）は、ａ、ｂ、ｃ、ｄのうちの最大値である、によって定義し、
目標参照値Ｐと、４次元色空間の各角点にある参照値Ｃ、Ｍ、Ｙ、Ｂk 、Ｒ、Ｇ、Ｂ、Ｗとの距離を計算し、その最大値を求めることによって、目標参照値Ｐから最も離れた位置にある参照値までの距離Ｄmax を計算するステップと、
(f) Ｄeff ＝Ｄmax ×Ｖ                                         (2)
によって、影響範囲Ｄeff を求めるステップと、
(g) 目標参照値Ｐから参照値Ｉまでの距離をＤi 、その色データを（Ｃi,Ｍi,Ｙi,Ｂki) とし、目標参照値Ｐの色データ（Ｃp,Ｍp,Ｙp,Ｂkp）の色データ変更値を（Ｃp', Ｍp', Ｙp', Ｂkp')とするとき、目標参照値Ｐ以外の参照値Ｉの色データ影響値を、
Ｃieff＝（Ｃp'−Ｃp)× (Ｄeff −Ｄi)／Ｄeff                     (3)
Ｍieff＝（Ｍp'−Ｍp)× (Ｄeff −Ｄi)／Ｄeff                     (4)
Ｙieff＝（Ｙp'−Ｙp)× (Ｄeff −Ｄi)／Ｄeff                     (5)
Ｂkieff ＝（Ｂkp' −Ｂkp) × (Ｄeff −Ｄi)／Ｄeff                (6)
によって決定するステップと、
(h) 色データ変更値に基づいて目標参照値Ｐの色データを変更し、色データ影響値に基づいて目標参照値Ｐ以外の参照値の色データを変更することによって、参照値テーブルを修正するステップと、
(i) ステップ(h) で修正した参照値テーブルによって得られた校正刷りを印刷物と比較し、校正刷りが印刷物に実質上一致するときは、ステップ(h) で求めた参照値テーブルを修正の完了した参照値テーブルとみなして処理を終了するが、一致しないときは、ステップ(c) 以降のステップを再び繰り返すステップと、からなっていることを特徴とする色校正法。
【請求項２】
(j) 前記参照値テーブルの修正履歴情報を記録するステップと、
(k) 前記修正履歴情報に従って前記原始参照値テーブルを修正することによって、前記色再現精度の向上した参照値テーブルを得るステップと、を有していることを特徴とする請求項１に記載の色校正法。
【請求項３】
コンピュータによって校正印刷機による校正刷りにおいて印刷機による印刷物の色再現性を向上させるための色校正プログラムを記録した記録媒体であって、
前記色校正プログラムは、コンピュータに、
(a) 印刷機および校正印刷機のそれぞれの既知のルックアップテーブルに基づいて４次元色空間の全体にわたる画像データの変換値からなる原始参照値テーブルを作成する手順と、
(b) 前記原始参照値テーブルによって得られた校正刷りが印刷物により近似するように、参照値テーブル内に保持される変換値相互の非線形特性を保持しつつ参照値テーブルの全体または一部を随時修正し、それによって色再現精度の向上した参照値テーブルを求める手順と、を実行させ、さらに、
前記手順(b) は、コンピュータに、
(c) 参照値テーブル中の色データを変更すべき目標参照値Ｐを選択し、目標参照値Ｐの色データ変更値の入力を求める手順と、
(d) 目標参照値の色データの変更が、目標参照値を中心とするどの範囲までの参照値の色データに影響を及ぼすのかを規定する影響範囲の百分率値Ｖの入力を求める手順と、
(e) ４次元色空間において、座標（Ａx,Ａy,Ａz,Ａt)にある参照値Ａと、座標（Ｂx,Ｂy,Ｂz,Ｂt)にある参照値Ｂとの間の距離ＡＢを、
ＡＢ＝ｍａｘ（｜Ａx −Ｂx ｜, ｜Ａy −Ｂy ｜, ｜Ａz −Ｂz ｜,
｜Ａt −Ｂt ｜)                                  (1)
ここで、ｍａｘ（ａ，ｂ，ｃ，ｄ）は、ａ、ｂ、ｃ、ｄのうちの最大値である、によって定義し、
目標参照値Ｐと、４次元色空間の各角点にある参照値Ｃ、Ｍ、Ｙ、Ｂk 、Ｒ、Ｇ、Ｂ、Ｗとの距離を計算し、その最大値を求めることによって、目標参照値Ｐから最も離れた位置にある参照値までの距離Ｄmax を計算する手順と、
(f) Ｄeff ＝Ｄmax ×Ｖ                                         (2)
によって、影響範囲Ｄeff を求める手順と、
(g) 目標参照値Ｐから参照値Ｉまでの距離をＤi 、その色データを（Ｃi,Ｍi,Ｙi,Ｂki )とし、目標参照値Ｐの色データ（Ｃp,Ｍp,Ｙp,Ｂkp）の色データ変更値を（Ｃp', Ｍp', Ｙp', Ｂkp')とするとき、目標参照値Ｐ以外の参照値Ｉの色データ影響値を、
Ｃieff＝（Ｃp'−Ｃp)× (Ｄeff −Ｄi)／Ｄeff                     (3)
Ｍieff＝（Ｍp'−Ｍp)× (Ｄeff −Ｄi)／Ｄeff                     (4)
Ｙieff＝（Ｙp'−Ｙp)× (Ｄeff −Ｄi)／Ｄeff                     (5)
Ｂkieff ＝（Ｂkp' −Ｂkp) × (Ｄeff −Ｄi)／Ｄeff                (6)
によって決定する手順と、
(h) 色データ変更値に基づいて目標参照値の色データを変更し、色データ影響値に基づいて目標参照値以外の参照値の色データを変更することによって、参照値テーブルを修正する手順と、
(i) 手順(h) で修正した参照値テーブルによって得られた校正印刷機の印画結果を印刷機の印画結果と比較し、校正印刷機の印画結果が印刷機の印画結果に実質上一致するときは、手順(h) で求めた参照値テーブルを修正の完了した参照値テーブルとみなして処理を終了するが、一致しないときは、手順(c) 以降の手順を再び繰り返す手順と、を実行させることを特徴とする色校正プログラムを記録した記録媒体。
【請求項４】
前記色校正プログラムは、さらに、コンピュータに、
(h) 前記参照値テーブルの修正履歴情報を記録する手順と、
(i) 前記修正履歴情報に従って前記原始参照値テーブルを修正することによって、前記修正の完了した参照値テーブルを求める手順と、
を実行させることを特徴とする請求項３に記載の色校正プログラムを記録した記録媒体。
【発明の詳細な説明】
【０００１】
【技術分野】
本発明は、印刷工程において、校正印刷機による校正刷りにおいて印刷機による印刷物の色再現性を向上させるための色校正方法に関するものである。
【０００２】
【背景技術】
印刷工程においては、印刷機による本機印刷が作成される前に、色校正がなされる。色校正は、１）誤字、脱字等の有無、２）ゴミ、傷、汚れ等の有無、３）印刷物の明るさ、暗さ等の階調再現性、４）印刷物の色再現性、５）印刷物のシャープネス等々、印刷の仕上がりをチェックするためのものである。
【０００３】
この色校正は、一般に、校正印刷機によって印刷された校正刷りに基づいてなされるが、特に、近年、印刷前処理工程のコンピュータ化が進んだことにより、ディジタルデータからインクジェット方式や昇華熱転写方式等を使って、直接的に校正刷りを作成できるディジタル方式の校正印刷機が普及している。
【０００４】
この場合、印刷機による印刷物と、校正印刷機による校正刷りの色再現域を近似させて、視覚的に同じになるようにする、色合わせ処理は重要な技術である。ところが、多くの場合、印刷物および校正刷りのそれぞれの固有の色再現域は相違しており、両者を正確に近似させることは非常にむづかしい。例えば、本機印刷用に用いられるインクが顔料タイプであるのに対し、代表的なディジタル方式の校正印刷機であるインクジェット方式の校正印刷機に用いられるインクは染料タイプが主流である。そして、顔料タイプのインクに対し染料タイプのインクの方がより広い色再現域を有しているため、校正印刷機の色再現域を意図的に狭めて印刷物の色再現域に近似させる方法が採られる。
【０００５】
従来の色合わせ処理法として、印刷物および校正刷りの色再現域を分光測光器により測定して各々の画像信号と測色値の関係を結び付けたルックアップテーブル（ＬＵＴ）を作成し、双方を比較して、校正刷りの色再現域を印刷物の色再現域に圧縮（Gamut Mapping)することにより、校正刷りの色再現域の画像信号に対する変更値を求め、その結果に基づいて実施の校正刷りの画像信号を逐次変換する方法が知られている。
【０００６】
しかしながら、分光測光器の誤差や、各インクの反射率の違い等の種々の要因によって、必ずしも好ましい結果をもたらしているとは言えない。かかる場合、部分的に不的確な色に対して適切な色補正を行うことが必要になる。既知のＬＵＴを用いた方法では、逐次Gamut Mapping を行いながら変換値を算出しており、２つのＬＵＴの組み合わせによって変換値は変わってくるために、局所的な色に対する色補正値の付加はむづかい所為となる。
【０００７】
一方、予め校正刷りの画像信号に対する変換値を求めて参照値テーブルを作成し、これに基づいて実際の校正刷りの画像信号を変換する方法がまた知られている。この方法によれば、変換値は確定されているので、局所的な色を指定して補正値を加えることは可能である。しかしながら、参照値テーブル内に確定された変換値の相互関係は非線形特性を有するものであり、この相互関係を保持せずに色補正を行うと、変換値全体の色合わせ精度が低下してしまう。従って、ここでは、非線形特性を保持したまま、参照値テーブルの全体または一部を補正する必要がある。
【０００８】
さらに、このような作業は多くの場合、試行錯誤の繰り返しにより、色再現性の向上した参照値テーブルが徐々に形成されていくこととなるが、このような作業を経て作成された参照値テーブルは、それ自体が多大な労力と時間の蓄積されたものと言える。
【０００９】
したがって、本発明の課題は、印刷の色校正において、印刷物および校正刷りの間の高精度の色再現性を容易に達成することができるようにすることにある。
また、本発明の別の課題は、色再現性の向上した参照値テーブルが一旦完成された後には、原初となる参照値テーブルからその完成された参照値テーブルが容易に作成することができるようにすることにある。
【００１０】
【発明の開示】
この課題を解決するため、本発明によれば、校正印刷機による校正刷りにおいて印刷機による印刷物の色再現性を向上させるための色校正法において、
(a) 印刷機および校正印刷機のそれぞれの既知のルックアップテーブルに基づいて４次元色空間の全体にわたる画像データの変換値からなる原始参照値テーブルを作成するステップと、
(b) 前記原始参照値テーブルによって得られた校正刷りが印刷物により近似するように、参照値テーブル内に保持される変換値相互の非線形特性を保持しつつ参照値テーブルの全体または一部を随時修正し、それによって色再現精度の向上した参照値テーブルを求めるステップと、を有し、
前記ステップ(b) は、
(c) 参照値テーブル中の色データを変更すべき目標参照値Ｐを選択し、目標参照値Ｐの色データ変更値を指定するステップと、
(d) 目標参照値Ｐの色データの変更が、目標参照値Ｐを中心とするどの範囲までの参照値の色データに影響を及ぼすのかを規定する影響範囲の百分率値Ｖを指定するステップと、
(e) ４次元色空間において、座標（Ａx,Ａy,Ａz,Ａt)にある参照値Ａと、座標（Ｂx,Ｂy,Ｂz,Ｂt)にある参照値Ｂとの間の距離ＡＢを、
ＡＢ＝ｍａｘ（｜Ａx −Ｂx ｜, ｜Ａy −Ｂy ｜, ｜Ａz −Ｂz ｜,
｜Ａt −Ｂt ｜)                                (1)
ここで、ｍａｘ（ａ，ｂ，ｃ，ｄ）は、ａ、ｂ、ｃ、ｄのうちの最大値である、によって定義し、
目標参照値Ｐと、４次元色空間の各角点にある参照値Ｃ、Ｍ、Ｙ、Ｂk 、Ｒ、Ｇ、Ｂ、Ｗとの距離を計算し、その最大値を求めることによって、目標参照値Ｐから最も離れた位置にある参照値までの距離Ｄmax を計算するステップと、
(f) Ｄeff ＝Ｄmax ×Ｖ                                       (2)
によって、影響範囲Ｄeff を求めるステップと、
(g) 目標参照値Ｐから参照値Ｉまでの距離をＤi 、その色データを（Ｃi,Ｍi,Ｙi,Ｂki) とし、目標参照値Ｐの色データ（Ｃp,Ｍp,Ｙp,Ｂkp）の色データ変更値を（Ｃp', Ｍp', Ｙp', Ｂkp')とするとき、目標参照値Ｐ以外の参照値Ｉの色データ影響値を、
Ｃieff＝（Ｃp'−Ｃp)× (Ｄeff −Ｄi)／Ｄeff                   (3)
Ｍieff＝（Ｍp'−Ｍp)× (Ｄeff −Ｄi)／Ｄeff                   (4)
Ｙieff＝（Ｙp'−Ｙp)× (Ｄeff −Ｄi)／Ｄeff                   (5)
Ｂkieff ＝（Ｂkp' −Ｂkp) × (Ｄeff −Ｄi)／Ｄeff              (6)
によって決定するステップと、
(h) 色データ変更値に基づいて目標参照値Ｐの色データを変更し、色データ影響値に基づいて目標参照値Ｐ以外の参照値の色データを変更することによって、参照値テーブルを修正するステップと、
(i) ステップ(h) で修正した参照値テーブルによって得られた校正刷りを印刷物と比較し、校正刷りが印刷物に実質上一致するときは、ステップ(h) で求めた参照値テーブルを修正の完了した参照値テーブルとみなして処理を終了するが、一致しないときは、ステップ(c) 以降のステップを再び繰り返すステップと、からなっていることを特徴とする色校正法が提供される。
【００１１】
本発明の好ましい実施例によれば、色校正法は、さらに、
(j) 前記参照値テーブルの修正履歴情報を記録するステップと、
(k) 前記修正履歴情報に従って前記原始参照値テーブルを修正することによって、前記色再現精度の向上した参照値テーブルを得るステップと、を有している。
【００１２】
また、上記課題を解決するため、本発明によれば、コンピュータによって校正印刷機による校正刷りにおいて印刷機による印刷物の色再現性を向上させるための色校正プログラムを記録した記録媒体であって、
前記色校正プログラムは、コンピュータに、
(a) 印刷機および校正印刷機のそれぞれの既知のルックアップテーブルに基づいて４次元色空間の全体にわたる画像データの変換値からなる原始参照値テーブルを作成する手順と、
(b) 前記原始参照値テーブルによって得られた校正刷りが印刷物により近似するように、参照値テーブル内に保持される変換値相互の非線形特性を保持しつつ参照値テーブルの全体または一部を随時修正し、それによって色再現精度の向上した参照値テーブルを求める手順と、を実行させ、さらに、
前記手順(b) は、コンピュータに、
(c) 参照値テーブル中の色データを変更すべき目標参照値Ｐを選択し、目標参照値Ｐの色データ変更値の入力を求める手順と、
(d) 目標参照値の色データの変更が、目標参照値を中心とするどの範囲までの参照値の色データに影響を及ぼすのかを規定する影響範囲の百分率値Ｖの入力を求める手順と、
(e) ４次元色空間において、座標（Ａx,Ａy,Ａz,Ａt)にある参照値Ａと、座標（Ｂx,Ｂy,Ｂz,Ｂt)にある参照値Ｂとの間の距離ＡＢを、
ＡＢ＝ｍａｘ（｜Ａx −Ｂx ｜, ｜Ａy −Ｂy ｜, ｜Ａz −Ｂz ｜,
｜Ａt −Ｂt ｜)                                (1)
ここで、ｍａｘ（ａ，ｂ，ｃ，ｄ）は、ａ、ｂ、ｃ、ｄのうちの最大値である、によって定義し、
目標参照値Ｐと、４次元色空間の各角点にある参照値Ｃ、Ｍ、Ｙ、Ｂk 、Ｒ、Ｇ、Ｂ、Ｗとの距離を計算し、その最大値を求めることによって、目標参照値Ｐから最も離れた位置にある参照値までの距離Ｄmax を計算する手順と、
(f) Ｄeff ＝Ｄmax ×Ｖ                                       (2)
によって、影響範囲Ｄeff を求める手順と、
(g) 目標参照値Ｐから参照値Ｉまでの距離をＤi 、その色データを（Ｃi,Ｍi,Ｙi,Ｂki )とし、目標参照値Ｐの色データ（Ｃp,Ｍp,Ｙp,Ｂkp）の色データ変更値を（Ｃp', Ｍp', Ｙp', Ｂkp')とするとき、目標参照値Ｐ以外の参照値Ｉの色データ影響値を、
Ｃieff＝（Ｃp'−Ｃp)× (Ｄeff −Ｄi)／Ｄeff                   (3)
Ｍieff＝（Ｍp'−Ｍp)× (Ｄeff −Ｄi)／Ｄeff                   (4)
Ｙieff＝（Ｙp'−Ｙp)× (Ｄeff −Ｄi)／Ｄeff                   (5)
Ｂkieff ＝（Ｂkp' −Ｂkp) × (Ｄeff −Ｄi)／Ｄeff              (6)
によって決定する手順と、
(h) 色データ変更値に基づいて目標参照値の色データを変更し、色データ影響値に基づいて目標参照値以外の参照値の色データを変更することによって、参照値テーブルを修正する手順と、
(i) 手順(h) で修正した参照値テーブルによって得られた校正印刷機の印画結果を印刷機の印画結果と比較し、校正印刷機の印画結果が印刷機の印画結果に実質上一致するときは、手順(h) で求めた参照値テーブルを修正の完了した参照値テーブルとみなして処理を終了するが、一致しないときは、手順(c) 以降の手順を再び繰り返す手順と、を実行させることを特徴とする色校正プログラムを記録した記録媒体が提供される。
【００１３】
本発明の好ましい実施例によれば、色校正プログラムは、さらに、コンピュータに、
(h) 前記参照値テーブルの修正履歴情報を記録する手順と、
(i) 前記修正履歴情報に従って前記原始参照値テーブルを修正することによって、前記修正の完了した参照値テーブルを求める手順と、
を実行させる。
【００１４】
【発明を実施するための最良の形態】
以下、添付図面に従って本発明の好ましい実施例について詳細に説明する。
図１は、本発明の１実施例による色校正法の概略構成を示すフロー図である。図１に示されるように、本発明の色校正法によれば、まず最初、印刷機および校正印刷機のそれぞれの既知のルックアップテーブル（ＬＵＴ）に基づいて、色空間の全体にわたる画像データの変換値からなる原始参照値テーブルが求められる（図１、ステップＡ参照）。
【００１５】
この実施例では、色空間は、減法混色ＣＭＹにＢkを加えた４次元色空間からなっているが、本発明による色校正法は、減法混色ＣＭＹ色空間や、加法混色ＲＧＢ色空間にも適用することができる。
【００１６】
図３には、求められた原始参照値テーブルが示されている。図３に示されるように、参照値テーブルの各参照値Ｆi は、色空間における座標データＦix、Ｆiy、Ｆiz、Ｆitと、色データＣFi、ＭFi、ＹFi、Ｂk Fiとを有している。
【００１７】
次に、参照値テーブル中の色データを変更すべき目標参照値が選択され、目標参照値の色データ変更値が指定される（図１、ステップＢ参照）。
そして、目標参照値の色データの変更が、この目標参照値を中心とするどの範囲までの参照値の色データに影響を及ぼすのかを規定する影響範囲が指定される（図１、ステップＣ参照）。影響範囲については後述する。
その後、目標参照値の色データ変更値、および影響範囲の値に基づいて、目標参照値以外の参照値の色データ影響値が求められる（図１、ステップＤ参照）。
【００１８】
次に、図２を参照して、影響範囲および色データ影響値の導出方法について説明する。なお、説明を簡単にするため、図２に示されるように、４次元色空間の代わりに、減法混色ＣＭＹ色空間を用いる。
色空間において、座標（Ａx,Ａy,Ａz)にある参照値Ａと、座標（Ｂx,Ｂy,Ｂz)にある参照値Ｂとの間の距離ＡＢを次式で定義する。
ＡＢ＝ｍａｘ（｜Ａx −Ｂx ｜, ｜Ａy −Ｂy ｜, ｜Ａz −Ｂz ｜)   (1)
ここで、ｍａｘ（ａ，ｂ，ｃ）は、ａ、ｂ、ｃのうちの最大値をとることを意味する。
【００１９】
今、目標参照値Ｐの色データの変更が、色空間の全体にわたって他の参照値の色データに影響を及ぼすものと、すなわち、影響範囲が色空間全体であると仮定して、このときの各参照値の色データ影響値が求められる。
前述の距離の定義式を用いて、目標参照値Ｐから最も離れた位置にある参照値までの距離Ｄmax が計算される。これは、目標参照値Ｐと、色空間の各角点にある参照値Ｃ、Ｍ、Ｙ、Ｂk 、Ｒ、Ｇ、Ｂ、Ｗとの距離を計算し、その最大値を求めることによってなされる。
【００２０】
そして、目標参照値Ｐから参照値Ｉまでの距離をＤi 、その色データを（Ｃi,Ｍi,Ｙi ) とし、目標参照値Ｐの色データ（Ｃp,Ｍp,Ｙp ）の色データ変更値を（Ｃp', Ｍp', Ｙp') とすると、参照値Ｉの色データ影響値は、
Ｃieff＝（Ｃp'−Ｃp)× (Ｄmax −Ｄi)／Ｄmax                     (2)
Ｍieff＝（Ｍp'−Ｍp)× (Ｄmax −Ｄi)／Ｄmax                     (3)
Ｙieff＝（Ｙp'−Ｙp)× (Ｄmax −Ｄi)／Ｄmax                     (4)
となる。
すなわち、各参照値に対する色データ影響値は、当該参照値の目標参照値Ｐからの距離が大きくなるにつれて減少するように、目標参照値Ｐからの距離にしたがって比例配分される。
【００２１】
この場合、色データ影響値がリニアに変化するようになっているが、色データ影響値を、適当な重み付けを行うことによって曲線的に変化させることもできる。
影響範囲については、ここでは影響範囲が色空間全体に指定されているが、Ｄeff ≦Ｄmax となるＤeff を指定することによって、影響範囲を任意に指定することができる。この実施例では、Ｄeff の値のＤmax の値に対する百分率によって、影響範囲が指定されるようになっている。
【００２２】
そして、色データ変更値に基づいて目標参照値の色データが変更されるとともに、色データ影響値に基づいて目標参照値以外の参照値の色データが変更されることによって、参照値テーブルが修正される（図１、ステップＥ参照）。
そして、ステップＥで求められた参照値テーブルによって得られた校正印刷機の印画結果が印刷機の印画結果と比較され（図１、ステップＦ参照）、校正印刷機の印画結果が印刷機の印画結果に実質上一致するときは、ステップＥで求められた参照値テーブルは修正の完了した参照値テーブルとみなされ、処理は終了されるが、一致しないときは、ステップＢ以降のステップが再び繰り返される（図１、ステップＧ参照）。なお、校正印刷機の印画結果と印刷機の印画結果との比較は、目視によって、あるいは分光測光器等の光学的測定器を用いてなされる。
【００２３】
このように、本発明によれば、印刷機および校正印刷機のそれぞれの既知のルックアップテーブルに基づいて色空間の全体にわたる画像データの参照値からなる原始参照値テーブルを作成し、この原始参照値テーブルによって得られた校正印刷機の印画結果が印刷機の印画結果により近似するように、参照値テーブル内に保持される変換値相互の非線形特性を保持しつつ参照値テーブルの全体または一部を随時修正し、よって色再現精度の向上した参照値テーブルを求めるようにしたので、印刷の色校正において、印刷物および校正刷りの間の高精度の色再現性を容易に達成することができる。また、本発明によれば、画像データを直接修正することなく、画像データの参照値を修正するので、修正作業をより簡単に行うことができる。
【００２４】
さらに、本発明による色校正法によれば、原始参照値テーブルから修正が完了した参照値テーブルが得られるまでの間における参照値テーブルの修正履歴情報が記録される（図１、ステップＨ参照）。修正履歴情報は、少なくとも、目標参照値の座標データおよび色データと、目標参照値の色データ変更値と、影響範囲の設定値とを含んでいる。
そして、原始参照値テーブルが与えられれば、この記録された修正履歴情報に基づいて原始参照値テーブルが修正され、修正の完了した参照値テーブルが簡単に得られる（図１、ステップＩ参照）。
【００２５】
このように、本発明によれば、色再現性の向上した参照値テーブルが一旦完成された後は、原始参照値テーブルからその完成された参照テーブルを容易に作成することができる。
また、本発明による色校正法をコンピュータによって実行するためのプログラムを、フレキシブルディスクやＣＤ−ＲＯＭ等の記録媒体に記録しておけば、このような記録媒体をコンピュータに読み込ませることにより、コンピュータを利用して、本発明による色校正法を容易に実施することができる。
【００２６】
図４は、本発明の１実施例による色校正装置の概略構成を示すブロック図である。本発明による色校正装置は、コンピュータを利用して、校正刷りにおいて印刷物の色再現性を向上させるようにしたものである。
図４に示されるように、本発明による色校正装置は、印刷機および校正印刷機のそれぞれの既知のルックアップテーブルに基づいて色空間の全体にわたる画像データの変換値からなる原始参照値テーブルを生成する原始参照値テーブル生成部１と、原始参照値テーブルによって得られた校正刷りが印刷物により近似するように、参照値テーブル内に保持される変換値相互の非線形特性を保持しつつ参照値テーブルの全体または一部を随時修正し、それによって色再現精度の向上した参照値テーブルを求める修正参照値演算部２とを有している。
【００２７】
修正参照値演算部２は、さらに、参照値テーブル中の色データを変更すべき目標参照値を選択し、目標参照値の色データ変更値を指定するための目標参照値／色データ変更値入力部３と、目標参照値の色データの変更が、目標参照値を中心とするどの範囲までの参照値の色データに影響を及ぼすのかを規定する影響範囲を指定するための影響範囲入力部４とを有している。
【００２８】
また、修正参照値演算部２は、目標参照値の色データ変更値、および影響範囲の値に基づいて、目標参照値以外の参照値の色データ影響値を求める色データ影響値演算部５と、色データ変更値に基づいて目標参照値の色データを変更し、色データ影響値に基づいて目標参照値以外の参照値の色データを変更することによって、参照値テーブルを修正する参照値テーブル修正部６と、参照値テーブル修正部によって修正された参照値テーブルによって得られた校正刷りを印刷物と比較し、校正刷りが印刷物に実質上一致するときは、その参照値テーブルを修正の完了した参照値テーブルとみなして色校正処理を終了させるが、一致しないときは、目標参照値／色データ変更値入力部および影響範囲入力部に対して新たな入力を要求する参照値テーブル評価部７とを有している。
【００２９】
本発明による色校正装置は、また、参照値テーブルの修正履歴情報を記録する修正履歴情報記録部８を有している。そして、修正参照値演算部２は、修正履歴情報記録部８に記録された修正履歴情報に従って原始参照値テーブルを修正することによって、色再現精度の向上した参照値テーブルを求め得るようになっている。
【００３０】
【産業上の利用可能性】
以上のように、本発明によれば、印刷の色校正において、印刷物および校正刷りの間の高精度の色再現性が容易に達成され得る。また、参照値テーブルは、色再現性の精度を上げるために、データ量が多くなって可搬性を低下させるが、本発明によれば、原初となる既知のルックアップテーブルが求められれば、修正履歴情報を用いるだけで、多大な労力と経験が付加された参照値テーブルが再現され得る。したがって、本発明は、印刷の校正作業の効率化に大きく貢献するものである。
【図面の簡単な説明】
【図１】本発明の１実施例による色校正法の概略構成を示すフロー図である。
【図２】図１に示された実施例における影響範囲および色データ影響値の導出法を説明する図である。
【図３】図１に示された実施例における参照値テーブルの構成を示す図である。
【図４】本発明の１実施例による色校正装置の概略構成を示すブロック図である。
【図１】
0003845015.tif 000002
【図２】
0003845015.tif 000003
【図３】
0003845015.tif 000004
【図４】
0003845015.tif 000005